(57)【要約】      （修正有）【課題】待機状態の消費電力を増加させることなく、特定の映像信号が入力された場合のみ待機状態から復帰して映像を投影することができる画像表示装置の提供。【解決手段】画像表示装置では、光源が発光して画像表示がすぐできる起動モードと、前記画像表示装置の主電源がオン状態で電力消費が最も少ない第１の省エネモードと、前記起動モードよりも電力消費が少ない第２の省エネモードとの間で電源状態が遷移可能であり、前記第１の省エネモードでは信号検知部を含む省電力駆動ＩＣのみが起動状態で待機し、前記信号検知部が前記映像信号の入力を検知した場合に、信号判定部を起動して前記第２の省エネモードへ遷移させ、前記第２の省エネモードでは前記信号検知部及び前記信号判定部が起動状態であり、前記信号判定部が入力された前記映像信号を起動対象の信号であると判定した場合に、前記第２の省エネモードから前記起動モードに遷移させる。【選択図】図５
2018155974.tif 000002
【特許請求の範囲】
【請求項１】
光源と、
入力端子への映像信号の入力の有無を検知する信号検知部と、
入力された映像信号の解像度や周波数等を判定する信号判定部と、
を備えている画像表示装置であって、
前記画像表示装置では、光源が発光して画像表示機能がすぐに実行できる起動モードと、
前記画像表示装置の主電源がオンの状態で電力の消費が最も少ない第１の省エネモードと、前記起動モードよりも電力の消費が少ない第２の省エネモードとの間で電源状態が遷移可能であり、
前記第１の省エネモードでは、前記信号検知部を含む省電力駆動ＩＣのみが起動した状態で待機しており、
前記第１の省エネモードで前記信号検知部によって前記映像信号が入力されたことを検知した場合に、前記信号判定部を起動して前記画像表示装置を前記第２の省エネモードへ遷移させ、
前記第２の省エネモードでは、前記信号検知部及び前記信号判定部が起動した状態であり、前記信号判定部が入力された前記映像信号が起動対象の信号であるかどうか判定し、
前記映像信号が起動対象の信号であると判定された場合は、前記画像表示装置を前記第２の省エネモードから前記起動モードに遷移させることを特徴とする
画像表示装置。
【請求項２】
前記映像信号が入力されることによって、前記第１の省エネモードから前記第２の省エネモードへ遷移した後、一定時間は前記信号判定部を起動状態にして前記第２の省エネモードを維持することを特徴とする
請求項１に記載の画像表示装置。
【請求項３】
前記入力端子には、複数の種類の映像端子が設けられており、
前記起動モードを終了し、前記第２の省エネモードへ遷移したときに、入力されている映像端子の種別を記憶した後、前記第１の省エネモードへ遷移し、
前記信号検知部は、既に接続済みの信号は対象にせず、新しく信号が入力された場合にのみ、前記信号判定部を起動させることを特徴とする
請求項１に記載の画像表示装置。
【請求項４】
前記起動モードを終了した後は、前記第２の省エネモードへ遷移し、前記第２の省エネモードに遷移した後、一定時間は前記信号判定部を起動状態にすることを特徴とする
請求項１に記載の画像表示装置。
【請求項５】
前記入力端子には、複数の種類の映像端子が設けられており、
前記信号検知部は、前記映像信号がどの映像端子に入力されたかを基に、前記映像信号の入力の有無を検知することを特徴とする
請求項１乃至４のいずれか一項に記載の画像表示装置。
【請求項６】
各デバイスの起動処理及び終了処理を行う起動処理部と備え、
前記第１の省エネモードから前記第２の省エネモードへ遷移させるとき、前記信号判定部を含む主制御部を前記起動処理部によって駆動させ、
前記第２の省エネモードから前記起動モードへ遷移させるとき、前記主制御部に接続される前記光源を含む各種デバイスを前記起動処理部によって駆動させることを特徴とする
請求項１乃至５のいずれか一項に記載の画像表示装置。
【請求項７】
入力端子への映像信号の入力の有無を検知する信号検知部のみが起動する第１の省エネ状態で待機するステップと、
前記第１の省エネ状態で前記映像信号が入力されると、入力された前記映像信号の解像度や周波数等を基に、前記映像信号が起動対象の信号であるかどうか判定する信号判定部がさらに起動する第２の省エネ状態へ遷移させるステップと、
前記第２の省エネ状態で入力された前記映像信号が起動対象の信号であると判定された場合は、光源を発光させて画像表示機能がすぐに実行できる起動モードへ遷移させるステップと、有することを特徴とする
画像表示装置の電力供給モード制御方法。
【請求項８】
電力供給モードを制御する機能を、画像表示装置に実現させるためのプログラムであって、
入力端子への映像信号の入力の有無を検知する信号検知部のみが起動した第１の省エネ状態で待機する機能と、
前記第１の省エネ状態で前記映像信号が入力されると、入力された映像信号の解像度や周波数等を基に、前記映像信号が起動対象の信号であるかどうか判定する信号判定部と前記信号検知部が起動する第２の省エネ状態に遷移させる機能と、
前記第２の省エネ状態で入力された前記映像信号が起動対象の信号であると判定された場合は、光源を発光させて画像表示機能がすぐに実行できる起動モードに遷移させる機能と、有することを特徴とする
電力供給モード制御プログラム。
【発明の詳細な説明】
【技術分野】
【０００１】
本発明は、画像表示装置、画像表示装置の電力供給調整方法、及び画像表示装置の電力供給モード調整プログラムに関する。
【背景技術】
【０００２】
画像をスクリーンなどに投影することにより表示するプロジェクタが広く用いられており、待機状態のプロジェクタに映像信号（ＶＧＡ信号やＨＤＭＩ信号）を、入力することでプロジェクタが起動する技術が既に知られている。
【０００３】
また、入力された映像信号をプロジェクタで検知し、どのような信号か解像度や周波数を判別する技術が知られている。言い換えると、複数種類の解像度や周波数が入力可能なプロジェクタでは、待機状態から復帰する際に判定制御を行う必要がある。
【０００４】
例えば、特許文献１には、所望でない種類の映像信号が入力されたときへの対策として、記憶部に第２映像信号の種別を記憶させ、入力された第１映像信号の種別を判別し、判別した第１映像信号の種別と、記憶部に記憶された第２映像信号の種別とが一致するかどうか判別し、一致した場合に光源を点灯させるように制御することが提案されている。
【発明の概要】
【発明が解決しようとする課題】
【０００５】
しかし、上記特許文献１では、待機状態において、第１映像信号の判別を行う映像信号判別部と、判別に適用される第２映像信号を記憶しておく記憶部と、第１映像信号と第２映像信号とが一致するかどうかを判別する制御部とが駆動しているため、これらの駆動電力により消費電力が増加してしまう。
【０００６】
そこで、本発明は上記事情に鑑み、待機状態に画像表示装置の消費電力を増加させることなく、特定の映像信号が入力された場合のみ装置を待機状態から復帰して映像を投影することができる画像表示装置の提供を目的とする。
【課題を解決するための手段】
【０００７】
上記課題を解決するため、本発明の一態様では、
光源と、
入力端子への映像信号の入力の有無を検知する信号検知部と、
入力された映像信号の解像度や周波数等を判定する信号判定部と、
を備えている画像表示装置であって、
前記画像表示装置では、光源が発光して画像表示機能がすぐに実行できる起動モードと、
前記画像表示装置の主電源がオンの状態で電力の消費が最も少ない第１の省エネモードと、前記起動モードよりも電力の消費が少ない第２の省エネモードとの間で電源状態が遷移可能であり、
前記第１の省エネモードでは、前記信号検知部を含む省電力駆動ＩＣのみが起動した状態で待機しており、
前記第１の省エネモードで前記信号検知部によって前記映像信号が入力されたことを検知した場合に、前記信号判定部を起動して前記画像表示装置を前記第２の省エネモードへ遷移させ、
前記第２の省エネモードでは、前記信号検知部及び前記信号判定部が起動した状態であり、前記信号判定部が入力された前記映像信号が起動対象の信号であるかどうか判定し、
前記映像信号が起動対象の信号であると判定された場合は、前記画像表示装置を前記第２の省エネモードから前記起動モードに遷移させることを特徴とする
画像表示装置、を提供する。
【発明の効果】
【０００８】
一態様によれば、画像表示装置において、待機状態に画像表示装置の消費電力を増加させることなく、特定の映像信号が入力された場合のみ装置を待機状態から復帰して映像を投影することができる。
【図面の簡単な説明】
【０００９】
【図１】実施形態に係るプロジェクタと映像出力機器との、接続状態を説明する図である。
【図２】図２は実施形態に係るプロジェクタの構成例であって、（ａ）は外部インターフェース部を示す側面図であり、（ｂ）は制御用基板の位置を説明する内部概略斜視図である。
【図３】実施形態に係るプロジェクタの一例のブロック構成図である。
【図４】実施形態に係るプロジェクタの電源モード遷移に係る部分の制御ブロック図である。
【図５】プロジェクタにおいて遷移させる電源モードの定義について説明する図である。実施形態に係る電源モードの遷移模式図である。
【図６】実施形態に係る映像信号入力時のフローチャートである。
【図７】記録される映像信号の信号リストについて説明する図である。
【図８】実施形態に係る映像信号入力時の電源モード遷移の別の例のフローチャートである。
【図９】実施形態において前回の接続状態を考慮した電源モード遷移のフローチャートであり、（ａ）は、映像信号入力時、（ｂ）は映像投影終了時を示す図である。
【発明を実施するための形態】
【００１０】
以下、図面を参照して本発明を実施するための形態について説明する。下記、各図面において、同一構成部分には同一符号を付し、重複した説明を省略する場合がある。
【００１１】
＜接続状態＞
図１は、実施形態に係るプロジェクタ１０と映像出力機器２０との、接続状態を説明する図である。画像表示装置の一例であるプロジェクタ１０は、外部の映像出力機器２０から画像、映像又は音声情報が入力される。
【００１２】
映像出力機器２０として、情報処理装置２１、ＡＶ（Audio  Video）機器２２、カメラ２３等が接続可能である。
【００１３】
＜プロジェクタ＞
図２は実施形態に係るプロジェクタ１０の構成例である。図２において、（ａ）は外部インターフェース部を示す側面図であり、（ｂ）は制御用基板の位置を説明する内部斜視図である。
【００１４】
図２（ａ）装置吸気口１７の下には、複数の接続端子を備える外部インターフェース（I/F: Interface）１９が形成されている。外部インターフェース（I/F:Interface）１９は、図３に示す、映像/音声端子１００と、通信端子１１７とを含んでいる。
【００１５】
図２（ａ）において、凹部９０内の上段に、ＵＳＢ（Universal Serial Bus）メモリなどの外部メモリ等との入出力用のＵＳＢ端子９１、及びＡＶ機器との接続用のＨＤＭＩ（High-Definition Multimedia Interface）（登録商標）端子９２が、並んで配置されている。
【００１６】
凹部９０内の下段には、通信用のＬＡＮ端子９３、コンピュータに接続するための、ＤＶＩ（Digital  Visual  Interface）端子９４、ビデオ入力端子（VGA：Video Graphics Array）９５、オーディオ入力用のコンポジット端子（例えばＲＣＡ端子）９６が、並んで配置されている。さらに、
凹部９０の外側には、商用電源と接続されるＡＣコードが接続される、電源端子９７が設けられている。
【００１７】
また、図２（ｂ）で示すように、プロジェクタ装置１０は、筐体（外装カバー）の内部に、光学エンジン１５、主制御基板２００、ファン（不図示）などを備えている。
【００１８】
主制御基板２００は、入力端子である外部Ｉ／Ｆ１９の近傍に設けられ、外部Ｉ／Ｆ１９と接続し、外部Ｉ／Ｆ１９の各入力端子から入力情報を取得して、各デバイスを制御する。
【００１９】
＜ブロック図＞    
図３は、本発明の実施形態に係るプロジェクタ１０の一例のブロック構成図である。
【００２０】
プロジェクタ１０は、映像/音声端子１００、システムコントロール部１０１、音声処理部１０２、スピーカー１０３、映像処理部１０４、光学ユニット制御部１０５、光学ユニット１０６、光源制御部１０７、及び光源１０８を有する。更に、プロジェクタ１０は、電源制御部１０９、電源１１０、操作部１１１、リモコン受信部１１２、記憶部１１３、ファン制御部１１４、ファン１１５、通信部１１６、及び表示部１２０を有する。
【００２１】
映像/音声端子１００は、映像端子又は/及び音声端子であって、外部の映像出力機器やコンピュータ等の電子機器との間で映像や音声等の各種情報を入出力するためのインターフェースである。映像/音声端子１００を介して、映像出力機器等の電子機器と接続されることで画像データや音声データを含む各種情報の入出力を行う。映像/音声端子１００は、図２（ａ）に示したＶＧＡ端子９５、ＨＤＭＩ端子９２、ＵＳＢ端子９１、コンポジット端子９６等がある。
【００２２】
システムコントロール部１０１は、主制御部であり、プロジェクタ１０を構成する他の各部を制御する。システムコントロール部１０１は、例えば、ＣＰＵ（Central Processing Unit）１０１１と、ＲＯＭ（Read Only Memory）１０１２と、ＲＡＭ（Random Access Memory）１０１３とにより実現される。システムコントロール部１０１は映像/音声端子１００から入力される信号の周波数や解像度等を解析・判定する。
【００２３】
ＣＰＵ１０１１は、ＲＯＭ１０１２やシステムコントロール部１０１に記憶された制御プログラム等の各種プログラムに従って、各種制御や機能を実現する演算装置である。ＲＯＭ１０１２は、プロジェクタ１０で実行可能な制御プログラム等の各種プログラムや、これらの各種プログラムを実行する際に使用される各種データ、及びＣＰＵ１０１１の演算処理結果などを記憶する不揮発性の半導体メモリ（記憶装置）である。ＲＡＭ１０１３は、ＣＰＵ１０１１によって実行される制御プログラム等の各種プログラムなどを展開するためのプログラム格納領域や、各種入出力データや各種プログラムの実行結果などを格納するデータ格納領域などを備える。ＲＡＭ１０１３は、例えば揮発性の半導体メモリ（記憶装置）である。
【００２４】
音声処理部１０２は、映像/音声端子１００を介して入力された音声データのうち、音量調整や音質調整等の処理を行う。音声処理部１０２は、入力された音声データに対して音量調整や音質調整等の処理を行った後、この処理後の音声データをスピーカー１０３や映像/音声端子１００（出力）に出力する。
【００２５】
スピーカー１０３は、音声処理部１０２から入力された音声データに従って、音声を出力する音声出力装置である。なお、スピーカー１０３は、プロジェクタ１０に内蔵されている内蔵型のスピーカーでもよいし、例えば音声出力ポートを介してケーブルやネットワークなどに接続される外部機器のスピーカーでもよい。
【００２６】
映像処理部１０４は、映像/音声端子１００を介して入力された画像データに対して、システムコントロール部１０１が適切に扱えるよう各種処理を行う。映像処理部１０４は、入力された画像データに対して各種処理を行った後、この処理後の画像データをＲＡＭ１０１３やバッファメモリ等に出力する。
【００２７】
そして、システムコントロール部１０１での映像処理を経て、表示部１２０へ画像が表示され、その画像が拡大されてスクリーンに投影される。
【００２８】
表示部１２０、光学ユニット１０６、及び光源１０８は、映像をスクリーンに投影する投影部として機能する。また、光学ユニット１０６、及び光源１０８は光学エンジン１５（図２参照）として機能する。
【００２９】
光学ユニット制御部１０５は、光学ユニット１０６を制御して、映像処理部１０４からＲＡＭ１０１３やバッファメモリ等に出力された画像データに基づいて画像の投写を行う。光学ユニット１０６は、レンズ、ミラーなどの光学部品から構成されるユニット（部品）である。光源制御部１０７、システムコントロール部１０１からの指示に基づき、光源１０８の点灯や消灯などを制御する。光源１０８は、例えば水銀ランプなどである。
【００３０】
電源制御部１０９は電源１１０を制御する。電源１１０はプロジェクタ１０に電力を供給する。
【００３１】
操作部１１１は、ユーザーからの各種操作入力を受け付け、システムコントロール部１０１を介して、操作入力に対応する機能を実現させる。操作部１１１は、例えばカーソルキーや文字／数字キー、各種機能キー等からの入力を受け付けることが可能である。
【００３２】
リモコン受信部１１２は例えば赤外線リモコン（指向性のある一方向通信）など遠隔からの各種操作入力を受け付け、システムコントロール部１０１を介して、操作入力に対応する機能を実現させる。リモコン受信部１１２は、例えば赤外線方式のリモコンからカーソルキーや文字／数字キー、各種機能の入力を受けつけることが可能である。
【００３３】
記憶部１１３は、例えばＥＥＰＲＯＭ（Electrically Erasable Programmable ROM）等の記憶手段としての不揮発性の半導体メモリ（記憶装置）である。記憶部１１３は、プロジェクタ１０が実行可能な制御プログラム等の各種プログラムやこれらの各種プログラムを実行する際に使用される各種データ等を記憶する。各種データとは、例えばプロジェクタ１０に設定された設定値などである。
【００３４】
なお、記憶部１１３は、例えばＨＤ（Hard Disk）などの記憶装置であってもよい。また、記憶部１１３は、例えばプロジェクタ１０とネットワークを介して接続される記憶装置であってもよい。
【００３５】
ファン制御部１１４は、冷却手段としてのファン１１５を制御する。ファン１１５は、本体もしくは部品を冷却したり、排熱したりするためのものである。
【００３６】
通信部１１６は、通信端子１１７を介してプロジェクタ外部の機器や端末と通信を行うための制御を行う。通信端子１１７は外部のコンピュータやプロジェクタ等の電子機器との間で制御信号等の各種情報を入出力するためのインターフェースである。通信端子１１７には、有線ＬＡＮ（Local Area Network）端子や無線ＬＡＮ（Local Area Network）端子等がある。
【００３７】
入力信号検知部１１８は映像/音声端子１００から信号が入力されているかどうかの検出、電源制御部１０９を制御することでシステムコントロール部１０１やプロジェクタ１０の各デバイスへの電力供給を行う。
【００３８】
入力信号検知部１１８は簡易な回路で構成されるため安価で省電力であるが、システムコントロール部１０１で行われるような信号判定等の複雑な処理は困難である。
【００３９】
図４は、実施形態に係るプロジェクタの電源モード遷移に係る部分の制御ブロック図である。
【００４０】
図４に示すように、プロジェクタ１０の制御用基板として、主制御基板２００は、例えば図２（ｂ）に示す側面の外部Ｉ／Ｆ１９に近い位置に設けられている。主制御基板２００には、音声処理部１０２と、映像処理部１０４と、電源制御部１０９と、入力信号検知部１１８システムコントロール部１０１と、ファン制御部１１４と、光学ユニット制御部１０５と、光源制御部１０７と、起動対象信号リスト記憶部２２０と、起動処理部２３０とが設けられている。
【００４１】
システムコントロール部（システム制御部）１０１は、映像信号判定部２１１と、表示処理部２１２とを実行可能に有している。起動対象信号リスト記憶部２２０は、図３に示す記憶部１１３の記憶領域の一部である。
【００４２】
本実施形態では、省エネモードが２段階あり、待機状態である第１の省エネモードのときは、図４の太線実線で示す、電源制御部１０９及び入力信号検知部１１８のみが、起動している。電源制御部１０９及び入力信号検知部１１８は、省電力制御部３１０として機能する。
【００４３】
また、確認状態である第２の省エネモードのときは、図４の点線で示す、電源制御部１０９、入力信号検知部１１８と、システムコントロール部１０１と、起動対象信号リスト記憶部２２０とが起動している。図４の点線で示す、第２の省エネモードのときに起動する部分は、省エネ判定部３２０として機能する。
【００４４】
入力信号検知部１１８は映像端子に映像が入力されているかどうかを検知する。プロジェクタ１０に搭載されている、外部Ｉ／Ｆ１９のうち、映像端子である、ＶＧＡ端子９５又はＨＤＭＩ端子９２に、映像信号が入力されているかどうか検出する。
【００４５】
インターフェースである映像/音声端子１００に何らかの信号が入力されると、起動処理部２３０を用いて、映像信号判定部２１１及び記憶部１１３が搭載されているハードウェアに対して電力を供給し、映像信号判定部２１１や、必要に応じて映像処理部１０４を動作させる。
【００４６】
映像信号判定部２１１は映像インターフェースに入力された信号を同期信号や映像データ信号等の情報を用いて解像度や周波数、極性等を判定する。
【００４７】
入力された信号の情報が、記憶部１１３の起動対象信号リスト記憶部２２０に保存されている条件に合致した場合、起動処理部２３０を用いて、システムコントロール部１０１を駆動することで、プロジェクタ１０全体を起動し、入力された映像の表示処理を行う。
【００４８】
起動処理部２３０は各機能ブロックが搭載されたデバイスへの電力供給や起動処理、プロジェクタ１０の起動処理等を行う。
【００４９】
プロジェクタ１０起動後は、入力された映像信号は、映像処理部１０４において、システムコントロール部１０１が適切に扱えるよう各種処理を行われる。
【００５０】
表示部１２０は映像処理部１０４に入力され、システムコントロール部１０１の表示処理部２１２で、投影状態に合わせて処理されて、映像信号の全体、または一部を表示する。
【００５１】
ここで、一般的に、入力信号の解像度や周波数を判断するためには高度な処理が必要であるため判定制御ＩＣ（Integrated Circuit）が必要であるが、判定制御ＩＣは高性能故に消費電力が大きい。一方で省電力ＩＣはごく一部の制御のみしかできないが、消費電力は小さい。
【００５２】
そこで、本実施形態では、待機状態では消費電力を抑えるために、省電力制御部（省電力ＩＣ）３１０のみに電力供給し、監視対象のインターフェース（ＶＧＡ、ＨＤＭＩ、ビデオ等）に対して信号が入力されたかどうかのみを検出している。この構成により、待機状態でのプロジェクタの消費電力を抑制する。
【００５３】
そして、監視対象のインターフェースに信号が入った場合は、全てのデバイスを動作させる前に、判定制御ＩＣに電力を供給し、解像度や周波数を判断して起動するかどうかを制御する。したがって、段階的に電力の供給を調整しているため、特定の映像信号がプロジェクタに入力された場合のみプロジェクタを待機状態から完全に復帰して映像を投影することができる。
【００５４】
＜電源モード遷移図＞
図５はプロジェクタ１０において、遷移させる電源モード（電力供給モード）の定義について説明する図である。
【００５５】
図５に示す主電源ＯＦＦ・プラグオフモードとは、プロジェクタ１０に接続されたＡＣコード（電力線）が電源コンセント等の商用電源に差し込まれておらず、又はＡＣコードが電源端子９７に接続されておらず、電源の供給のない状態を意味する。この状態では、待機電力は発生しない。
【００５６】
主電源ＯＦＦ・プラグインモードとは、プロジェクタ１０に接続されたＡＣコードが商用電源に差し込まれて、且つ電源端子９７に接続されているが、プロジェクタ１０の主電源が切られていてプロジェクタ１０内で電源の供給のない状態を意味する。
【００５７】
第１の省エネモードは、信号検知部１１８と電源制御部１０９が起動した状態で、プロジェクタ１０が待機している待機状態である。第１の省エネモードは、主電源を入れた直後の状態でもある。
【００５８】
第２の省エネモードは、信号検知部１１８と、映像信号判定部２１１を含むシステムコントロール部１０１と記憶部１１３が起動した状態であり、映像信号判定部２１１が入力された前記映像信号が起動対象の信号であるかどうか判定する。
【００５９】
起動モードは、光源１０８が発光してプロジェクタ１０において画像表示機能がすぐに実行できる状態である。
【００６０】
主電源ＯＦＦ・プラグインモードから、主電源がＯＮになることで、電源供給されると、スタンバイ状態（第１の省エネモード）へと遷移する（動作（１））。この状態ではプロジェクタ１０の光源１０８はＯＦＦである。
【００６１】
第１の省エネモード（待機状態）では、省電力制御部３１０が起動した状態となる。この状態ではシステムコントロール部１０１は起動しておらず、信号の有無と、接続先の端子の種類のみを検出する。
【００６２】
プロジェクタ１０に映像信号が入力され（動作（２））、信号検知部１１８が起動対象の端子の映像信号であると検出した場合、システムコントロール部１０１も起動した状態となり、第１の省エネモード⇒第２の省エネモードへ遷移する（動作（３））。
【００６３】
確認状態である第２の省エネモードで、映像信号判定部２１１は、映像信号の判定を行い、起動対象の映像信号と合致した場合、プロジェクタ１０を起動し、第２の省エネモード⇒起動モードへと遷移する（動作（４））。起動モードへ遷移することで光源１０８がＯＮとなる。
【００６４】
また、システムコントロール部１０１の映像信号判定部２１１にて信号判定を行った結果、起動対象の映像信号と合致しない場合、システムコントロール部１０１の駆動を終了し、省電力制御部３１０のみが起動した待機状態に遷移する（動作（８））。そして、再び映像信号が入力されるのを待つ。
【００６５】
起動モード又は待機状態において、ユーザーから主電源ＯＦＦの指示があった場合は、主電源ＯＦＦ・プラグインモードに遷移する（動作（５）、（９））。また、起動モードにおいて、ＡＣコードが、プロジェクタ１０の電源端子９７又は商用電源から取り外された場合は主電源ＯＦＦ・プラグインモードに遷移する（動作（６））。
【００６６】
また、投影終了後、接続状態を維持した状態で、所定の時間、映像信号が無い場合は、待機電力を抑制するように、自動的に、第２の省エネモードを介して第１の省エネモードに遷移してもよい（動作（７）、（８））。
【００６７】
＜フローチャート＞
図６は第１実施形態に係る映像信号入力時の電源モード遷移の一例のフローチャートである。
【００６８】
プロジェクタ１０は待機状態（第１の省エネモード）において、入力端子群に、映像信号が入力されているかどうかを監視する（Ｓ１０１）。この際、待機時の消費電力を抑えるために、入力信号検知部１１８を動作させるために必要なデバイスや信号検知に必要なデバイスである省電力制御部３１０のみに電力供給されている。なお、最低限これらに電力供給されていればよく、他のデバイスに供給されていても問題ない。
【００６９】
そして、入力信号検知部１１８は映像信号が入力されているかどうかを判定する（Ｓ１０２）。その際、入力信号検知部１１８は記憶部１１３に保存されている起動対象の信号リストの信号種別と一致するかを判断する。
【００７０】
例えば、プロジェクタ１０を起動する対象の映像信号がＶＧＡ入力での1280×800 60Hzの信号だった場合、ＶＧＡ端子９５から映像が入力されているかどうかを判断する。
【００７１】
入力された映像信号がＨＤＭＩ端子９２から映像入力信号だった場合は、以降の処理は行わず、信号の監視を続ける（Ｓ１０１）。
【００７２】
プロジェクタ起動する対象の映像信号とインターフェースの種類が一致していた場合（Ｓ１０２：Ｙｅｓ）、映像信号の解像度や周波数等を判定するために起動処理部２３０はシステムコントロール部１０１を起動する（Ｓ１０３）。
【００７３】
システムコントロール部１０１が起動することにより映像信号判定部２１１は入力された映像信号の判定を行い、解像度や周波数の情報を取得する（Ｓ１０４）。
【００７４】
映像信号判定部２１１は入力された映像信号が記憶部１１３に保存されている起動対象の信号リストの信号種別と一致するかを判断する（Ｓ１０５）。
【００７５】
入力された映像信号が対象の信号だった場合（Ｓ１０５：Ｙｅｓ）、プロジェクタ１０を起動し、入力された映像信号を映像処理部１０４及びシステムコントロール部１０１で適切に処理して、表示部１２０を通して投影処理を行う（Ｓ１０６）。
【００７６】
入力された映像信号が起動対象の信号リストと一致しない場合（Ｓ１０５：Ｎｏ）、起動処理部２３０は映像信号判定部２１１を含むシステムコントロール部１０１も駆動を終了し（Ｓ１０７）、再び待機状態（第１の省エネモード）に遷移して信号の入力を監視する（Ｓ１０１）。
【００７７】
このように遷移させることで、待機状態にプロジェクタの消費電力を増加させることなく、特定の映像信号がプロジェクタに入力された場合のみ、プロジェクタ１０を待機状態から復帰して映像を投影することができる。
【００７８】
図７は、信号リストについて説明する図である。
【００７９】
記憶部１１３に保存されている信号リストは、入力された映像信号がプロジェクタ１０を起動させる対象の映像信号かどうかを判定するために用いられる。
【００８０】
図示した表には起動する対象とするかどうかの「起動対象」や映像信号のインターフェースを特定する「インターフェース」、映像信号を特定する「解像度」「映像モード」「周波数」等がある。「解像度」「映像モード」「周波数」などは映像信号を特定できるものであればよく、この限りではない。
【００８１】
上述のように、映像信号がどのインターフェース（ＶＧＡ端子９５、ＨＤＭＩ端子９２、コンポジット端子９６等）に対して入力が入ったかどうかは、入力信号検知部１１８で検出する。
【００８２】
一方、映像信号の情報から映像信号を特定する「解像度」「映像モード」「周波数」等についての判定は、映像信号判定部２１１で実行する。
【００８３】
インターフェースのみで起動する/しないを決めたい場合はこれらの項目がなくてもよい。また、ユーザーインターフェース経由でこれらを操作できるようになっていてもよい。
【００８４】
＜別の遷移例＞
図８は実施形態に係る映像信号入力時の電源モード遷移の別の例のフローチャートである。図８において、Ｓ４０１〜Ｓ４０４は、図６のＳ１０１〜Ｓ１０４と同様である。
【００８５】
映像信号判定部２１１は入力された映像信号が、記憶部１１３に保存されている起動対象の信号リストの信号種別と一致するかを判断する（Ｓ４０５）。
【００８６】
入力された映像信号が対象の信号である場合（Ｓ４０５：Ｙｅｓ）、プロジェクタ１０を起動する（Ｓ４０６）。
【００８７】
入力された映像信号が対象の信号ではなかった場合（Ｓ４０５：Ｎｏ）、起動処理部２３０は信号判定後に一定時間（一定期間）経過しているか判断する（Ｓ４０７）。
【００８８】
一定時間経過後（Ｓ４０７：Ｙｅｓ）、起動処理部２３０はシステムコントロール部１０１を終了し、再び待機状態に遷移して信号の入力を監視する（Ｓ４０８）。
一定時間経過していない場合は（Ｓ４０７：Ｎｏ）、再び信号判定を行える状態に移行し、入力されている信号に変化があるかどうかを監視する。
【００８９】
図８のフローでは、信号リストに合致しない場合でも、一定時間、映像信号判定部２１１を起動状態にする。これにより、映像信号が入力された後に、映像出力機器２０側で出力する映像信号の解像度や周波数等を変更した場合に、映像信号判定部を含むシステムコントロール部１０１を再起動することが無いので、短時間で信号判定・プロジェクタの起動処理を行うことができる。
【００９０】
＜フロー＞
図９は実施形態において、前回の接続状態を考慮した電源モード遷移のフローチャートである。図９において、（ａ）は、映像信号入力時のフロー、（ｂ）は映像投影終了時のフローを示す。
【００９１】
図９（ａ）において、入力信号検知部１１８は映像信号が入力されているかどうかを判定する（Ｓ５０２）。その際、入力信号検知部１１８は記憶部１１３に保存されている起動対象の信号リストの信号種別と一致するかを判断する。プロジェクタ１０を起動する対象の映像信号とインターフェースの種類が一致していた場合（Ｓ５０２：Ｙｅｓ）、プロジェクタ１０のスタンバイ移行時に入力されていた信号かどうかを判断する（Ｓ５０３）。
【００９２】
ここで、図９（ｂ）を参照として、プロジェクタ１０の終了時又はスタンバイ状態に移行する際に入力されていた映像信号をチェックし（Ｓ５０９）、その情報を記録しておくものとする（Ｓ５１０）。
【００９３】
例えば、スタンバイ移行時にＶＧＡ端子９５とＨＤＭＩ端子９２のインターフェースから映像が入力されていれば、ＶＧＡ端子９５、ＨＤＭＩ端子９２は接続ありという情報を記録しておく。
【００９４】
図９（ａ）のＳ５０３ではこの情報を確認することで、Ｓ５０２でＶＧＡ端子９５とＨＤＭＩ端子９２のインターフェースに入力信号があると検知されても、Ｎｏのフローで処理される。この場合、例えば、コンポジット端子９６のインターフェースに入力信号があると、新しい信号が入力されたとしてＳ５０３のＹｅｓのフローで処理される。
【００９５】
これにより、スタンバイ移行後にＳ５０１、Ｓ５０２が動作することでスタンバイ移行した途端に、起動するといったことを防ぐことができる。また、接続状態を維持して、電源ＯＦＦ状態からスタンバイ状態に移行した場合に、いきなり起動するということを防ぐことができる。
【００９６】
このように、新しく信号が入力された場合にのみ起動することできるので、映像出力機器２０とプロジェクタ１０とをケーブルにより接続状態を維持したり、映像信号を入力し続けることもできる。即ち、常設されたプロジェクタ等で常に入力端子が接続状態であり、映像信号が入力されている場合などでも、誤ってプロジェクタが起動することを防ぐことができる。
【００９７】
上記の実施形態により、待機状態にプロジェクタの消費電力を増加させることなく、特定の映像信号がプロジェクタに入力された場合のみプロジェクタを待機状態から復帰して映像を投影することができる。
【００９８】
以上、本発明の好ましい実施形態について詳述したが、本発明は係る特定の実施形態に限定されるものではなく、特許請求の範囲に記載された本発明の実施形態の要旨の範囲内において、種々の変形、変更が可能である。
【符号の説明】
【００９９】
１０  プロジェクタ（画像表示装置）
２０  情報処理装置（映像出力機器）
２１  ＡＶ機器（映像出力機器）
９２  ＨＤＭＩ端子
９５  ビデオ入力端子（ＶＧＡ端子）
９６  コンポジット端子（ＲＣＡ端子）
９７  電源端子
１０１  システムコントロール部（主制御部）
１０６  光学ユニット（投影部）
１０７  光源制御部
１０８  光源（投影部）
１０９  電源制御部
１１８  入力信号検知部
１２０  表示部（投影部）
２００  主制御基板
２１１  映像信号判定部（信号判定部）
２１２  表示処理部
２２０  起動対象信号リスト記憶部
２３０  起動処理部
３１０  省電力制御部（省電力駆動ＩＣ）
３２０  省電力判定部
【先行技術文献】
【特許文献】
【０１００】
【特許文献１】特開２０１５−１２１６４８号公報
【図１】
2018155974.tif 000003
【図２】
2018155974.tif 000004
【図３】
2018155974.tif 000005
【図４】
2018155974.tif 000006
【図５】
2018155974.tif 000007
【図６】
2018155974.tif 000008
【図７】
2018155974.tif 000009
【図８】
2018155974.tif 000010
【図９】
2018155974.tif 000011